(57)【要約】【課題】  レンズ交換式デジタルカメラでは、交換レンズの焦点距離と撮像される画面の画角との関係が、撮像素子の撮像領域の大きさによって異なるため、３５ｍｍフィルムカメラのように交換レンズの焦点距離から撮影画角が判断できない。【解決手段】  交換レンズの焦点距離情報と撮像素子の撮像領域の大きさに関する情報から、撮影画角を３５ｍｍフィルムフォーマットでの焦点距離に換算し、交換レンズ上に設置したメモリ性表示装置に書き込み、表示することで、交換レンズ単体でも３５ｍｍ換算の焦点距離をいつでも確認することができ、フィルムカメラで慣れ親しんだ画角と焦点距離の感覚を生かすことができる。【選択図】        図１
2006140883.tif 000002
【特許請求の範囲】
【請求項１】
レンズ交換式デジタルカメラに装着される交換レンズにおいて、
メモリ性表示装置と、
前記レンズ交換式デジタルカメラから前記レンズ交換式デジタルカメラに使用されている撮像素子の撮像領域の大きさに関する情報を得る交信部と、
該交換レンズの焦点距離と像面の大きさに関する情報を記憶するレンズ情報記憶部と、
前記撮像素子の撮像領域の大きさに関する情報と、該交換レンズの焦点距離に関する情報とから、該レンズ交換式デジタルカメラの撮影画角と同等の撮影画角に相当する所定サイズの撮像領域の大きさでの焦点距離に換算する換算手段と、
該交換レンズの焦点距離及び前記換算手段によって換算された焦点距離のうち少なくとも一方を前記メモリ性表示装置に表示させる表示制御手段とを備えたことを特徴とする交換レンズ。
【請求項２】
前記所定サイズは、３５ｍｍフィルムの１コマのサイズであることを特徴とする請求項１に記載の交換レンズ。
【請求項３】
第１の電圧で動作する動作部を有し、
前記メモリ性表示装置は、第２の電圧で書き込みが行われ、
前記第２の電圧は前記レンズ交換式デジタルカメラに内蔵されている昇圧回路から供給されることを特徴とする請求項１又は２に記載の交換レンズ。
【請求項４】
前記表示制御手段は、前記撮像素子の撮像領域の大きさが、前記交換レンズの像面の大きさよりも大きい場合には警告信号を出力することを特徴とする請求項１乃至３のいずれか１項に記載の交換レンズ。
【請求項５】
表示部を備えた交換レンズからの情報を得る交信部と、カメラに関する情報が記憶されているカメラ情報記憶部とを備えたレンズ交換式デジタルカメラにおいて、
前記交信部で得られる情報は、前記交換レンズ内のレンズ情報記憶部に記憶されている前記交換レンズの焦点距離と像面の大きさに関する情報を含み、
前記カメラ情報記憶部に記憶されている情報は、該デジタルカメラに使用されている撮像素子の撮像領域の大きさに関する情報を含み、
前記表示部はメモリ性表示装置であり、
前記交換レンズの焦点距離に関する情報と、前記撮像素子の撮像領域の大きさに関する情報とから、前記交換レンズの焦点距離を、前記交換レンズの焦点距離と前記撮像素子の撮像領域の大きさから決定される撮影画角と同等の撮影画角に相当する所定サイズの撮像領域の大きさでの焦点距離に換算する換算手段と、
前記交換レンズの焦点距離及び前記換算手段によって換算された焦点距離のうち少なくとも一方を、前記交信部を介して前記交換レンズのメモリ性表示装置に表示する表示制御手段を備えたことを特徴とするレンズ交換式デジタルカメラ。
【請求項６】
前記所定サイズは、３５ｍｍフィルムの１コマのサイズであることを特徴とする請求項５に記載のレンズ交換式デジタルカメラ。
【請求項７】
エレクトロフラッシュと、
前記エレクトロフラッシュの動作電圧を生成する昇圧回路と、
前記交換レンズに第１の電圧を供給する第１の電圧供給部と、
前記メモリ性表示装置に書き込みを行う第２の電圧を供給する第２の電圧供給部とを有し、
前記第２の電圧は、前記昇圧回路で生成されることを特徴とする請求項５又は６に記載のレンズ交換式デジタルカメラ。
【請求項８】
前記表示制御手段は、前記撮像素子の撮像領域の大きさが、前記交換レンズの像面の大きさよりも大きい場合には警告する警告手段を有することを特徴とする請求項５乃至７のいずれか１項に記載のレンズ交換式デジタルカメラ。
【請求項９】
デジタルカメラと交換レンズからなるカメラシステムにおいて、
該デジタルカメラに使用されている撮像素子の撮像領域の大きさに関する情報が記憶されているカメラ情報記憶部と、
前記交換レンズの焦点距離と像面の大きさに関する情報が記憶されているレンズ情報記憶部と、
前記交換レンズの焦点距離に関する情報と、前記撮像素子の撮像領域の大きさに関する情報とから、該レンズ交換式デジタルカメラの撮影画角と同等の撮影画角に相当する所定サイズの撮像領域の大きさでの焦点距離に換算する換算手段と、
該交換レンズに設けられたメモリ性表示装置と、
該交換レンズの焦点距離及び前記換算手段によって換算された焦点距離のうち少なくとも一方を前記メモリ性表示装置に表示させる表示制御手段とを備えたことを特徴とするカメラシステム。
【請求項１０】
前記所定サイズは、３５ｍｍフィルムの１コマのサイズであることを特徴とする請求項９に記載のカメラシステム。
【請求項１１】
エレクトロフラッシュと、
前記エレクトロフラッシュの動作電圧を生成する昇圧回路と、
前記交換レンズに第１の電圧を供給する第１の電圧供給部と、
前記メモリ性表示装置に書き込みを行う第２の電圧を供給する第２の電圧供給部とを有し、
前記第２の電圧は、前記昇圧回路で生成されることを特徴とする請求項９又は１０に記載のカメラシステム。
【請求項１２】
前記表示制御手段は、前記撮像素子の撮像領域の大きさが、前記交換レンズの像面の大きさよりも大きい場合には警告する警告手段を有することを特徴とする請求項９乃至１１のいずれか１項に記載のカメラシステム。
【発明の詳細な説明】
【技術分野】
【０００１】
本発明は、交換レンズ、レンズ交換式デジタルカメラ及びカメラシステムに関する。特に、交換レンズの焦点距離情報の表示機能を備えた交換レンズ、レンズ交換式デジタルカメラ及びカメラシステムに関するものである。
【背景技術】
【０００２】
近年、フィルムカメラ用の交換レンズを使用するレンズ交換式デジタルカメラが普及しつつある。これは、従来のフィルムカメラの豊富な交換レンズ群を生かして撮影の領域を拡大できることから、ユーザにとっては大変有意義なことである。
【０００３】
しかしながら、デジタルカメラに用いられる撮像素子には撮像領域の大きさ（以下、フォーマットと言う）の異なるものが多種あり、同じ焦点距離のレンズを用いても撮像素子のフォーマットによって撮影画角が異なったものとなるという不具合が存在する。
【０００４】
フィルムにも種々のフォーマットは存在するが、レンズ交換式のフィルムカメラはその大半が３５ｍｍフィルムを用いるカメラであり、その他のフォーマット（例えばブローニーサイズ等）のフィルムを用いるレンズ交換式カメラはプロや一部のハイアマチュア用に限られている。そのため、フィルムカメラのユーザは、例えば、２８ｍｍレンズといえば画角の広い広角レンズの代表、５０ｍｍレンズといえば画角が人間の視覚に近い標準レンズの代表、１３５ｍｍレンズといえば画角の狭い望遠レンズの代表、といったように撮影を通じて実際の撮影画角と３５ｍｍフィルムカメラ用の焦点距離を一対一に結びつけてイメージしており、プロ、アマチュアを問わず、一般的に３５ｍｍフィルムカメラ用レンズの焦点距離が撮影画角の代わりとして用いられており、写真雑誌等でも同様の表現が行われている。
【０００５】
一方、デジタルカメラでは、図１４の撮像素子フォーマットと換算焦点距離との関連を示す表に一例を示したように、比較的大きなフォーマットの撮像素子だけでも、３５ｍｍサイズ、ＡＰＳ−Ｃサイズ、フォーサーズ（４／３型）、２／３型といったように種々のフォーマットが存在している。このため、図１４に太字で一例として示したように、３５ｍｍフィルムカメラから例えばフォーサーズ（４／３型）のレンズ交換式デジタルカメラに移行したユーザは、「風景撮影のために３５ｍｍフィルム用の２８ｍｍの広角レンズ４０１を準備して撮影に臨んだが、フォーサーズ（４／３型）のデジタルカメラでの実際の画角４０２は３５ｍｍフィルム用レンズに換算すると５５ｍｍの交換レンズと同等の標準的な画角となって風景を十分に捉えきれなかった」というように３５ｍｍフィルムカメラでの撮影を通じて身に付けた撮影画角と交換レンズの焦点距離の関係とデジタルカメラでの実際の撮影画角とが結びつかないために、撮影準備のための交換レンズ選択時等に大きな戸惑いを感じている。図１５に上述の交換レンズの焦点距離と実際の撮影画角の違いを模式的に示した。図１５（ａ）は、被写体の模式図である。実線で囲んだ範囲が図１５（ｂ）に示したのと同じ３５ｍｍフィルムの撮像画面３５で撮像される範囲であり、破線で囲んだ範囲が図１５（ｃ）に示したのと同じ撮像素子１５３で撮像される範囲である。ここで分かるように、同じ交換レンズを用いても撮像される範囲は使用される撮像素子のフォーマットによって大きく変わる。
【０００６】
そこで、上述の問題点を解決するために、レンズ交換不可能なズームレンズ搭載のデジタルカメラで、実際の焦点距離とは別に、レンズの外装上に３５ｍｍフィルム用レンズ換算の焦点距離を表示することで撮影画角のイメージが分かるようになしたものや、レンズ情報および撮像ユニットの情報に基づいて、３５ｍｍ感光フィルムの１コマのサイズにおける像倍率又は焦点距離に換算して、レンズ又はカメラ上の表示部に出力するもの（例えば、特許文献１乃至４参照）が提案されている。
【特許文献１】特開２００１−２１５６０６号公報
【特許文献２】特開２０００−２４４７７９号公報
【特許文献３】特開２００２−１３９７８８号公報
【特許文献４】特開２００４−１５７３６７号公報
【発明の開示】
【発明が解決しようとする課題】
【０００７】
しかしながら、上述のレンズ交換不可能なズームレンズ搭載のデジタルカメラで採用された方法は、フォーマットの異なる撮像素子を搭載した複数のカメラに装着される可能性のある交換レンズには適用不可能である。
【０００８】
また、特許文献１乃至４で提案された方法では、交換レンズをカメラに取り付けた状態でしか像倍率又は換算焦点距離が確認できないため、複数の交換レンズを使用したい場合は、なにがしかの方法で各々の交換レンズの像倍率または換算焦点距離を記録しておき、レンズを交換する度に記録を参照する必要があり、大変不便である。
【０００９】
本発明は、上記事情に鑑みてなされたもので、一度カメラに交換レンズを装着すると、その後はレンズ単体でも撮影倍率または換算焦点距離が容易に確認でき、換算に対してユーザに特別の技術能力の負担なく、従来から慣れ親しんだ焦点距離の感覚を生かして撮影に使用する交換レンズを迅速に選択できるような交換レンズ、レンズ交換式デジタルカメラ及びカメラシステムを提供することを目的とする。
【課題を解決するための手段】
【００１０】
本発明の目的は、下記構成により達成することができる。
【００１１】
（請求項１）
レンズ交換式デジタルカメラに装着される交換レンズにおいて、
メモリ性表示装置と、
前記レンズ交換式デジタルカメラから前記レンズ交換式デジタルカメラに使用されている撮像素子の撮像領域の大きさに関する情報を得る交信部と、
該交換レンズの焦点距離と像面の大きさに関する情報を記憶するレンズ情報記憶部と、
前記撮像素子の撮像領域の大きさに関する情報と、該交換レンズの焦点距離に関する情報とから、該レンズ交換式デジタルカメラの撮影画角と同等の撮影画角に相当する所定サイズの撮像領域の大きさでの焦点距離に換算する換算手段と、
該交換レンズの焦点距離及び前記換算手段によって換算された焦点距離のうち少なくとも一方を前記メモリ性表示装置に表示させる表示制御手段とを備えたことを特徴とする交換レンズ。
【００１２】
（請求項２）
前記所定サイズは、３５ｍｍフィルムの１コマのサイズであることを特徴とする請求項１に記載の交換レンズ。
【００１３】
（請求項３）
第１の電圧で動作する動作部を有し、
前記メモリ性表示装置は、第２の電圧で書き込みが行われ、
前記第２の電圧は前記レンズ交換式デジタルカメラに内蔵されている昇圧回路から供給されることを特徴とする請求項１又は２に記載の交換レンズ。
【００１４】
（請求項４）
前記表示制御手段は、前記撮像素子の撮像領域の大きさが、前記交換レンズの像面の大きさよりも大きい場合には警告信号を出力することを特徴とする請求項１乃至３のいずれか１項に記載の交換レンズ。
【００１５】
（請求項５）
表示部を備えた交換レンズからの情報を得る交信部と、カメラに関する情報が記憶されているカメラ情報記憶部とを備えたレンズ交換式デジタルカメラにおいて、
前記交信部で得られる情報は、前記交換レンズ内のレンズ情報記憶部に記憶されている前記交換レンズの焦点距離と像面の大きさに関する情報を含み、
前記カメラ情報記憶部に記憶されている情報は、該デジタルカメラに使用されている撮像素子の撮像領域の大きさに関する情報を含み、
前記表示部はメモリ性表示装置であり、
前記交換レンズの焦点距離に関する情報と、前記撮像素子の撮像領域の大きさに関する情報とから、前記交換レンズの焦点距離を、前記交換レンズの焦点距離と前記撮像素子の撮像領域の大きさから決定される撮影画角と同等の撮影画角に相当する所定サイズの撮像領域の大きさでの焦点距離に換算する換算手段と、
前記交換レンズの焦点距離及び前記換算手段によって換算された焦点距離のうち少なくとも一方を、前記交信部を介して前記交換レンズのメモリ性表示装置に表示する表示制御手段を備えたことを特徴とするレンズ交換式デジタルカメラ。
【００１６】
（請求項６）
前記所定サイズは、３５ｍｍフィルムの１コマのサイズであることを特徴とする請求項５に記載のレンズ交換式デジタルカメラ。
【００１７】
（請求項７）
エレクトロフラッシュと、
前記エレクトロフラッシュの動作電圧を生成する昇圧回路と、
前記交換レンズに第１の電圧を供給する第１の電圧供給部と、
前記メモリ性表示装置に書き込みを行う第２の電圧を供給する第２の電圧供給部とを有し、
前記第２の電圧は、前記昇圧回路で生成されることを特徴とする請求項５又は６に記載のレンズ交換式デジタルカメラ。
【００１８】
（請求項８）
前記表示制御手段は、前記撮像素子の撮像領域の大きさが、前記交換レンズの像面の大きさよりも大きい場合には警告する警告手段を有することを特徴とする請求項５乃至７のいずれか１項に記載のレンズ交換式デジタルカメラ。
【００１９】
（請求項９）
デジタルカメラと交換レンズからなるカメラシステムにおいて、
該デジタルカメラに使用されている撮像素子の撮像領域の大きさに関する情報が記憶されているカメラ情報記憶部と、
前記交換レンズの焦点距離と像面の大きさに関する情報が記憶されているレンズ情報記憶部と、
前記交換レンズの焦点距離に関する情報と、前記撮像素子の撮像領域の大きさに関する情報とから、該レンズ交換式デジタルカメラの撮影画角と同等の撮影画角に相当する所定サイズの撮像領域の大きさでの焦点距離に換算する換算手段と、
該交換レンズに設けられたメモリ性表示装置と、
該交換レンズの焦点距離及び前記換算手段によって換算された焦点距離のうち少なくとも一方を前記メモリ性表示装置に表示させる表示制御手段とを備えたことを特徴とするカメラシステム。
【００２０】
（請求項１０）
前記所定サイズは、３５ｍｍフィルムの１コマのサイズであることを特徴とする請求項９に記載のカメラシステム。
【００２１】
（請求項１１）
エレクトロフラッシュと、
前記エレクトロフラッシュの動作電圧を生成する昇圧回路と、
前記交換レンズに第１の電圧を供給する第１の電圧供給部と、
前記メモリ性表示装置に書き込みを行う第２の電圧を供給する第２の電圧供給部とを有し、
前記第２の電圧は、前記昇圧回路で生成されることを特徴とする請求項９又は１０に記載のカメラシステム。
【００２２】
（請求項１２）
前記表示制御手段は、前記撮像素子の撮像領域の大きさが、前記交換レンズの像面の大きさよりも大きい場合には警告する警告手段を有することを特徴とする請求項９乃至１１のいずれか１項に記載のカメラシステム。
【発明の効果】
【００２３】
請求項１乃至４に記載の発明によれば、デジタルカメラの撮像素子の撮像領域の大きさと交換レンズの焦点距離情報とから交換レンズに設けられた換算手段で算出される換算焦点距離を、交換レンズ上のメモリ性表示装置に表示することで、一度カメラに交換レンズを装着すると、その後はレンズ単体でもメモリ性表示装置上で換算焦点距離が容易に確認できるため、ユーザに特別の技術能力の負担なく、従来から慣れ親しんだ焦点距離の感覚を生かして迅速に使用するレンズを選択できるような交換レンズを提供でき、特に撮影機材の選択時に非常に有効である。さらに、撮像素子の撮像領域の大きさと交換レンズの像面の大きさに不整合がある場合には警告されるので、撮影機材の選択間違いが無くなり、利便性が向上する。
【００２４】
請求項５乃至８に記載の発明によれば、交換レンズの焦点距離情報とデジタルカメラの撮像素子の撮像領域の大きさとからデジタルカメラに設けられた換算手段で算出される換算焦点距離を、交換レンズ上のメモリ性表示装置に表示することで、一度カメラに交換レンズを装着すると、その後はレンズ単体でもメモリ性表示装置上で換算焦点距離が容易に確認できるため、ユーザに特別の技術能力の負担なく、従来から慣れ親しんだ焦点距離の感覚を生かして迅速に使用するレンズを選択できるようなレンズ交換式デジタルカメラを提供でき、特に撮影機材の選択時に非常に有効である。さらに、撮像素子の撮像領域の大きさと交換レンズの像面の大きさに不整合がある場合には警告されるので、撮影機材の選択間違いが無くなり、利便性が向上する。
【００２５】
請求項９乃至１２に記載の発明によれば、交換レンズの焦点距離情報とデジタルカメラの撮像素子の撮像領域の大きさとからデジタルカメラに設けられた換算手段で算出される換算焦点距離を、交換レンズ上のメモリ性表示装置に表示することで、一度カメラに交換レンズを装着すると、その後はレンズ単体でもメモリ性表示装置上で換算焦点距離が容易に確認できるため、ユーザに特別の技術能力の負担なく、従来から慣れ親しんだ焦点距離の感覚を生かして迅速に使用するレンズを選択できるようなカメラシステムを提供でき、特に撮影機材の選択時に非常に有効である。さらに、撮像素子の撮像領域の大きさと交換レンズの像面の大きさに不整合がある場合には警告されるので、撮影機材の選択間違いが無くなり、利便性が向上する。
【発明を実施するための最良の形態】
【００２６】
以下、図面に基づき本発明の実施の形態を説明する。
【００２７】
図１及び図２は、本発明に係るカメラシステム１の外観模式図で、図１（ａ）は正面図、図１（ｂ）は背面図、図２（ａ）は上面図、図２（ｂ）は交換レンズ２０を外した状態のカメラ１０の正面図である。
【００２８】
カメラ１０の正面には、交換レンズ２０を取り付けるためのマウント（カメラ側）１７１と、カメラ１０と交換レンズ２０間のデータ通信を行うためのＢＬ交信部（カメラ側）１７２が設置されており、マウント（カメラ側）１７１を介して交換レンズ２０がカメラ１０に装着されると共に、ＢＬ交信部（カメラ側）１７２を介してカメラボディと交換レンズ２０間のデータ通信が行われる。
【００２９】
カメラ１０の上面には、撮影のための操作部材であるレリーズボタン１０１が設置されており、カメラ１０の内部でレリーズボタン１０１の下部にはＡＦスイッチＳＷ１とレリーズスイッチＳＷ２を構成する２段スイッチが配置されている。また、カメラ１０の上部には、エレクトロフラッシュ１０２が内蔵されている。更に、カメラ１０の上面にはカメラシステム１の動作モードを設定するモード設定ダイアル１１２と、各動作モードでのカメラ制御値を設定する制御値設定ダイアル１１４が配置されている。
【００３０】
カメラ１０の背面には、電源スイッチ１１１、変更ダイアル１１３、ジョグダイアル１１５、ファインダ接眼レンズ１２１ａ、画像表示部１３１が配置されている。
【００３１】
交換レンズ２０には、手動で合焦レンズを動かすフォーカスリング２０１、手動でズームレンズを動かすズームリング２０２及び交換レンズ２０上に各種情報を表示するメモリ性表示装置２３１が設置されている。
【００３２】
図３は本発明に係るカメラシステム１の縦断面模式図である。図中、図１及び図２と同じ部分には同じ番号を付与した。
【００３３】
交換レンズ２０内部には、レンズ２１１、絞り２４１、ズーム値検知部２４３、ＡＦ駆動部２４４が設置されている。交換レンズ２０のカメラ１０側にはマウント（レンズ側）２７１が設置されており、マウント（カメラ側）１７１を介して交換レンズがカメラ１０に取り付けられ、交換レンズの取り付けと共にＢＬ交信部（レンズ側）とＢＬ交信部（カメラ側）が接触して導通することでカメラと交換レンズ間の交信が可能となる。
【００３４】
カメラ１０内部には、交換レンズ２０を通った光をファインダ１２１に導くための、一部が半透明になったレフレックスミラー１４１、レフレックスミラー１４１の半透明部を通った光をＡＦモジュール１４４に導くサブミラー１４２、ＡＦモジュール１４４、シャッタ１４５、撮像素子１５３、ファインダ１２１を構成する接眼レンズ１２１ａ、ペンタプリズム１２１ｂ、焦点板１２１ｃ、ファインダ内に各種情報を表示するインファインダ表示部１３２、フラッシュ１０２が設置されている。
【００３５】
図４は本発明に係るカメラシステム１の回路ブロック図である。図中、図１、図２及び図３と同じ部分には同じ番号を付した。
【００３６】
カメラ１０の制御部であるカメラ制御部１５１は、図示しないＣＰＵ（中央処理装置）、ワークメモリ等から構成され、図示しない記憶部に記憶されているプログラムをワークメモリに読み出し、当該プログラムに従ってカメラ１０の各部を集中制御する。また、カメラ制御部１５１は、電源スイッチ１１１、カメラの動作モードを設定するモード設定ダイアル１１２、変更ダイアル１１３、制御値設定ダイアル１１４、ジョグダイアル１１５、レリーズボタンの押し込みの１段目で動作するＡＦスイッチＳＷ１、レリーズボタンの押し込みの２段目で動作するレリーズスイッチＳＷ２等からの入力を受信し、交信部として機能するＢＬ交信部（カメラ側）１７２とＢＬ交信部（レンズ側）２７２を介して交換レンズの制御部であるレンズ制御部２５１と交信を行うことで、カメラシステム１全体を制御する。
【００３７】
更に、カメラ制御部１５１は、ＡＦモジュール１４４と交信することで合焦動作を制御し、ミラー駆動部１４３を介してレフレックスミラー１４１及びサブミラー１４２を駆動し、シャッタ駆動部１４６を介してシャッタ１４５を制御し、フラッシュ制御部１４７を介して昇圧回路１４８及びフラッシュ１０２を制御し、画像制御部１５２と交信することで撮像動作を制御すると共に、撮像された画像データや各種情報を表示制御部１５７を介して画像表示部１３１に表示し、インファインダ表示部１３２に各種情報を表示する。すなわち、画像表示部１３１及びインファインダ表示部１３２は表示手段として機能するものである。
【００３８】
又、カメラ制御部１５１は、必要に応じて、後述する換算式に従って交換レンズ２０の焦点距離を換算し、画像表示部１３１、インファインダ表示部１３２、及びメモリ性表示部２３１に表示する。すなわち、カメラ制御部１５１は、換算手段飛び表示制御手段としての機能を有するものである。
【００３９】
カメラ情報記憶部１６１には、撮像素子の撮像領域の大きさに関する情報が予め記憶されている。カメラ情報記憶部１６１に予め記憶された撮像素子の撮像領域の大きさに関する情報は、例えば撮像素子の対角長（ｍｍ）が所定ビットのデータ長で表記されている。
【００４０】
カメラ電源１０３は、カメラ１０内部の各部に電源を供給すると共に、ＢＬ交信部（カメラ側）１７２とＢＬ交信部（レンズ側）２７２を介して交換レンズ２０内の各部に第１の電圧として機能する電源を供給する。一般的には、カメラ電源１０３は５Ｖ程度の電圧が普通である。
昇圧回路１４８は、フラッシュ制御部１４７を介してカメラ制御部１５１によって制御され、フラッシュ１０２を発光させるための電圧を発生させると共に、第２の電圧として機能するメモリ性表示装置２３１の書き込みを行うためのメモリ性表示電源２５６を発生させる。一般的には、フラッシュ１０２を発光させるための電圧は３００Ｖ程度であり、メモリ性表示装置２３１の書き込みを行うためのメモリ性表示電源２５６は５０Ｖ程度である。
【００４１】
尚、本発明の実施の形態には図示されていないが、ユーザがフラッシュを使用するためにポップアップ操作を行うと、昇圧回路１４８はフラッシュ発光可能な電圧まで昇圧され、フラッシュ発光可能な状態となる。昇圧回路１４８を用いて第２の電圧で昇圧を停止したり、フラッシュを発光させるための電圧まで昇圧を行うことは、公知技術を利用して容易に実行可能である。
【００４２】
交換レンズ２０のレンズ２１１によって結像される画像は、撮像素子１５３で撮像された後、画像処理部１５４で処理を施したデジタル画像データに変換され、画像制御部１５２によって一旦画像メモリ１５５に記録され、最終的にはメモリカード１５６に記録される。
【００４３】
交換レンズ２０のレンズ制御部２５１は、図示しないＣＰＵ（中央処理装置）、ワークメモリ等から構成され、図示しない記憶部に記憶されているプログラムをワークメモリに読み出し、当該プログラムに従って交換レンズ２０の各部を制御する。
【００４４】
また、レンズ制御部２５１は、レンズ情報記憶部２６１に格納されている交換レンズ２０の固有情報を読み出し、ズーム値検知部２４３を介してレンズ２１１の焦点距離を検知し、ＡＦ駆動部２４４を介してレンズ２１１の全部または一部を駆動して合焦動作を行い、絞り制御部２４２を介して絞り２４１を制御し、ＢＬ交信部（レンズ側）２７２とＢＬ交信部（カメラ側）１７２を介してカメラ１０の制御部であるカメラ制御部１５１と交信を行って、カメラ情報記憶部１６１に格納されているカメラ１０の固有情報を読み出し、カメラ制御部１５１と連動してカメラシステム１全体を制御する。場合によっては、レンズ制御部２５１は、ＢＬ交信部（カメラ側）１７２とＢＬ交信部（レンズ側）２７２を介してカメラ制御部１５１からの各種情報を受け取り、メモリ性表示部２３１に表示を行う。
【００４５】
更に、レンズ制御部２５１は、上述のカメラ制御部１５１との交信の結果をもとにして、必要に応じて、後述する換算式に従って交換レンズ２０の焦点距離を換算し、メモリ性表示制御部２５７を介してメモリ性表示装置２３１に各種情報を表示する。すなわち、レンズ制御部２５１は、換算手段飛び表示制御手段としての機能を有するものである。
【００４６】
レンズ情報記憶部２６１には、撮影レンズの実際の焦点距離に関する情報が予め記憶されている。レンズ情報記憶部２６１に予め記憶された撮影レンズの実際の焦点距離に関する情報は、例えば焦点距離（ｍｍ）が所定ビットのデータ長で表記されている。
【００４７】
メモリ性表示制御部２５７は、ＢＬ交信部（カメラ側）１７２とＢＬ交信部（レンズ側）２７２を介して昇圧回路１４８から第２の電圧として機能するメモリ性表示電源２５６の供給を受け、レンズ制御部からの信号に従ってメモリ性表示装置２３１に各種情報を表示する。
【００４８】
メモリ性表示装置２３１は、カイラルネマチック（ＣＮ）液晶等のメモリ性表示素子で構成される。メモリ性表示装置２３１を用いることで、一度交換レンズ２０をカメラ１０に取り付けて表示を行わせると、交換レンズ２０をカメラ１０から取り外してカメラ側からの電源供給が行われなくなっても、交換レンズ２０上の表示が消えることがなく、交換レンズ単体でいつでも換算焦点距離を確認することができるので大変便利である。カイラルネマチック（ＣＮ）液晶の制御については、特開２００４−１１７４０４号公報、同２００４−１１７４０６等に詳述されているので、ここでは説明を省略する。
【００４９】
次に、本発明の第１の実施の形態に係るカメラシステムの動作の例を、図５、図６、図７を用いて説明する。図５、図６及び図７は、図１乃至図４に示したカメラシステム１での換算焦点距離情報の表示制御の処理の流れを示すフローチャートである。
【００５０】
まず、図５のステップＳ０１で電源スイッチ１１１が操作されてカメラの電源がオンされると、ステップＳ０２で、カメラ情報記憶部１６１に格納されている撮像素子のフォーマット情報を含むカメラ１０に固有の各種情報が読み出され、ステップＳ０３で起動時の動作モードが判別される。ここでは、モード設定ダイアル１１２を用いて「レンズ選択モード」に設定されているとする。ここで、「レンズ選択モード」とは、交換レンズ２０を実際にカメラ１０に装着して、撮影に用いる交換レンズ２０の換算焦点距離を、メモリ性表示装置２３１に表示される換算焦点距離あるいは実際の焦点距離で確認して、撮影に用いる交換レンズを選択するための動作モードである。
【００５１】
ステップＳ０３でレンズ選択モードが選択されていると判別された場合（ステップＳ０３；ＹＥＳ）、ステップＳ１１でレンズ選択モードが起動される。ステップＳ１２でレンズ情報記憶部２６１に格納されている焦点距離情報と像面の大きさを含む交換レンズ２０に固有の各種情報がレンズ制御部２５１に読み出される。
【００５２】
ステップＳ１３で、レンズ制御部２５１によりカメラ情報記憶部１６１からの撮像素子のフォーマット情報とレンズ情報記憶部２６１からの像面の大きさの情報が比較され、像面の大きさが撮像素子のフォーマットよりも大きいか同じである場合（ステップＳ１３；ＹＥＳ）、ステップＳ１４に進む。像面の大きさが撮像素子のフォーマットよりも小さい場合（ステップＳ１３；ＮＯ）、ステップＳ１９で昇圧回路１４８が制御されて出力が第２の電圧まで昇圧され、メモリ性表示電源２５６としてレンズ２０に供給され、ステップＳ２０で、レンズ制御部２５１によりメモリ性表示装置２３１に「像面の大きさが撮像素子のフォーマットよりも小さくて画面の周辺がケラレるため、撮影できない」旨が警告表示され、ステップＳ２１に進む。
【００５３】
ステップＳ１４で、昇圧回路１４８が制御されて出力が第２の電圧まで昇圧され、メモリ性表示電源２５６としてレンズ２０に供給される。
【００５４】
次に、ステップＳ１５で、表示する焦点距離が換算焦点距離か交換レンズ２０の実際の焦点距離かが判別される。換算焦点距離を表示する設定になっている場合（ステップＳ１５；ＹＥＳ）、ステップＳ１６で、レンズ制御部２５１で以下の換算式（１）に従って換算焦点距離が演算される。
換算焦点距離：ｆ１＝ｆ×（Ｙ１／Ｙ）・・・（１）
ｆ：交換レンズ２０のレンズ２１１の焦点距離
Ｙ１：３５ｍｍフィルムの撮像画面３５の対角長（＝４３．２７ｍｍ）
Ｙ：撮像素子１５３の対角長
例えば、３５ｍｍフィルムカメラ用の２８ｍｍ〜１３５ｍｍのズームレンズを図１４に示したＡＰＳ−Ｃサイズの撮像素子を搭載したデジタルカメラに使用した場合、３５ｍｍフィルムカメラ用交換レンズでの換算焦点距離は、４２ｍｍ〜２０３ｍｍとなる。図８に、ｆ、ｆ１、Ｙ、Ｙ１の関係を図示した。また、この場合の撮影画角（θ＝２×ｔａｎ−１（Ｙ／ｆ））は、９０．６°〜２３．７°となる。
【００５５】
ステップＳ１７で換算焦点距離がメモリ性表示電源２５６を用いてメモリ性表示装置２３１に書き込まれ、ステップＳ２１に進む。これによって、カメラ１０から交換レンズ２０を取り外してもメモリ性表示装置に換算焦点距離が表示されたままとなっているため、交換レンズ２０単体で換算焦点距離の確認が可能である。この場合の交換レンズ２０単体での換算焦点距離の表示の例を図９（ａ）に示す。
【００５６】
ステップＳ１５で実際の焦点距離を表示するように設定されていた場合は（ステップＳ１５；ＮＯ）ステップＳ１８で交換レンズ２０の実際の焦点距離がメモリ性表示電源２５６を用いてメモリ性表示装置２３１に書き込まれ、ステップＳ２１に進む。以上でレンズ選択モードでの一連の動作が完了する。
【００５７】
次に、ステップＳ２１で動作モードがレンズ選択モードから変更されていないかどうかが確認され、変更されていない場合は（ステップＳ２１；ＹＥＳ）ステップＳ２２でレンズが交換されたか否かが判別される。レンズが交換されていない場合は（ステップＳ２２；ＮＯ）ステップＳ２１に戻り、動作モードが変更されるかレンズが交換されるのを待つ。レンズが交換された場合は（ステップＳ２２；ＹＥＳ）ステップＳ１２に戻り、新しく装着された交換レンズに固有の各種情報を読み出し、以降、前述の動作を繰り返す。
【００５８】
ステップ２１で動作モードがレンズ選択モードから変更されている場合は（ステップＳ２１；ＮＯ）、図６のステップＳ３１に進む。
【００５９】
図６のステップＳ３１で、動作モードが「カメラモード」であるか否かが確認される。ここでは、モード設定ダイアル１１２を用いて「カメラモード」に設定されているとする。「カメラモード」とは、通常のデジタルカメラとしての撮影モードである。ステップＳ３１でカメラモードが選択されていると判別された場合は（ステップＳ３１；ＹＥＳ）、ステップＳ３２でカメラモードが起動され、ステップＳ３３でレンズ情報記憶部２６１に格納されている像面の大きさを含む交換レンズ２０に固有の各種情報が読み出される。ステップＳ３４で、図５のステップＳ０２で読み出されたカメラ情報記憶部１６１からの撮像素子のフォーマット情報と、図６のステップＳ３３で読み出されたレンズ情報記憶部からの像面の大きさの情報が比較され、像面の大きさが撮像素子のフォーマットよりも大きいか同じである場合（ステップＳ３４；ＹＥＳ）、撮影可能な状態となり、ステップＳ４１に進む。像面の大きさが撮像素子のフォーマットよりも小さい場合（ステップＳ３４；ＮＯ）、ステップＳ６１で画像表示部１３１、インファインダ表示部１３２のいずれか一方または両方に「像面の大きさが撮像素子のフォーマットよりも小さくて画面の周辺がケラレるため、撮影できない」旨を警告表示し、図５のステップＳ０３に戻る。
【００６０】
ステップＳ４１で撮影時の換算焦点距離をインファインダ表示部１３２に表示するか否かが判別される。ステップＳ４１でインファインダ表示を行う場合（ステップＳ４１；ＹＥＳ）、ステップＳ４２でレンズ制御部２５１を介してズーム値検知部２４３で検知した現在の焦点距離を読み出し、読み出された現在の焦点距離と図５のステップＳ０２で読み出されたカメラデータとを用いて、ステップＳ４３で前述の換算式（１）に従って換算焦点距離が演算され、ステップＳ４４で換算焦点距離をインファインダ表示部１３２に表示してステップＳ４５に進む。この場合の表示の一例を図９（ｂ）に示した。ステップＳ４１でインファインダ表示を行わない場合も（ステップＳ４１；ＮＯ）、ステップＳ４５に進む。
【００６１】
ステップＳ４５でＡＦスイッチＳＷ１がオンされたか否かが判別され、オンされていない場合は（ステップＳ４５；ＮＯ）ステップＳ４１に戻ってズーム操作が行われて焦点距離が変化している場合には換算焦点距離を再演算してインファインダ表示し、ステップＳ４１からステップＳ４５をループしながらＡＦスイッチＳＷ１がオンされるのを待つ。
【００６２】
ＡＦスイッチＳＷ１がオンされたら（ステップＳ４５；ＹＥＳ）、ステップＳ４６で合焦動作（ＡＦ）と測光動作（ＡＥ）が行われ、ステップＳ４７でレリーズスイッチＳＷ２がオンされたかどうかが判別される。レリーズスイッチＳＷ２がオンされていない場合は（ステップＳ４７；ＮＯ）ステップＳ４１に戻り、ズーム動作、ＡＦスイッチＳＷ１オンを確認しながらレリーズスイッチＳＷ２がオンされるのを待つ。
【００６３】
レリーズスイッチＳＷ２がオンされたら（ステップＳ４７；ＹＥＳ）、ステップＳ４８で撮影が行われ、ステップＳ４９で撮影された画像データが画像メモリ１５５に一旦記録される。ステップＳ５０でインファインダ表示部１３２が消灯された後、ステップＳ５１でカメラ１０の背面に設置されている画像表示部１３１に撮影された画像のアフタービューが表示され、ステップＳ５２で画像メモリ１５５に一記録された画像データがメモリカード１５６に書き込まれて記録され、ステップＳ５３でアフタービューが消灯される。以上でカメラモードでの一連の動作が完了する。
【００６４】
ステップＳ５４で動作モードがカメラモードから変更されていないかどうかが確認され、変更されていない場合は（ステップＳ５４；ＹＥＳ）、ステップＳ４１に戻って上述の動作を繰り返す。動作モードが変更された場合は（ステップＳ５４；ＮＯ）、図５のステップＳ０３に戻って、再度動作モードの確認が行われる。
【００６５】
図６のステップＳ３１で動作モードがカメラモードでない場合（ステップＳ３１；ＮＯ）、図７のステップＳ７１に進む。ステップＳ７１では、動作モードが「再生モード」であるか否かが確認される。ここでは、モード設定ダイアル１１２を用いて「再生モード」に設定されているとする。「再生モード」とは、撮影されて記録された画像をカメラ１０上の画像表示部１３１に表示するモードである。
【００６６】
ステップＳ７１で再生モードが選択されていると判別された場合は（ステップＳ７１；ＹＥＳ）、ステップＳ７２で再生モードが起動され、撮影された画像の再生が可能な状態となる。再生モードでは、画像の再生と共に、焦点距離情報の表示も可能である。
【００６７】
尚、ステップＳ７１で再生モードが選択されていないと判別された場合は（ステップＳ７１；ＮＯ）、「その他のモードで起動」に進む。上述したレンズ選択モード、カメラモード、及び以下に述べる再生モード以外の動作モード（例えば、音声記録モード）については説明を省略する。
【００６８】
ステップ７２で再生モードが起動されると、ステップＳ８１でメモリカード１５６に記録されている撮影画像のサムネールが表示されて、ユーザによって再生したい画像が選択される。ステップＳ８２で、ステップＳ８１で選択された画像の画像データがメモリカード１５６から読み出される。標準的な画像データファイル形式（例えば、ＥＸＩＦファイル形式）では、撮影時の実焦点距離情報を含む撮影データが付属情報としてサポートされている。
【００６９】
ステップＳ８３で再生画像と共に焦点距離を表示するか否かが確認される。焦点距離情報を表示する場合は（ステップＳ８３；ＹＥＳ）、ステップＳ８４で表示する焦点距離が換算焦点距離か否かが判別される。換算焦点距離を表示する場合は（ステップＳ８４；ＹＥＳ）、ステップＳ８５で、ステップＳ８２で読み出された画像データの付属情報に含まれる撮影時の実焦点距離情報を読み出し、ステップＳ８６で、読み出された焦点距離情報と図５のステップＳ０２で読み出されたカメラデータに含まれる撮像素子のフォーマット情報とを用いて前述の換算式（１）に従って撮影時の換算焦点距離を演算する。ステップＳ８７で選択された画像を画像表示部１３１に表示し、ステップＳ８８で換算焦点距離情報を画像に重畳して画像表示部１３１に表示する。
【００７０】
ステップＳ８４で換算焦点距離を表示しない場合は（ステップＳ８４；ＮＯ）、ステップＳ９１で、ステップＳ８２で読み出された画像データの付属情報に含まれる撮影時の実際の焦点距離情報を読み出し、ステップＳ９２で選択された画像を画像表示部１３１に表示し、ステップＳ９３で実際の焦点距離情報を画像に重畳して画像表示部１３１に表示する。
【００７１】
ステップＳ８３で焦点距離情報を表示しない場合、すなわち画像のみを表示する場合は（ステップＳ８３；ＮＯ）、ステップＳ１０１で選択された画像を画像表示部１３１に表示する。
画像と撮影時の情報、または画像のみを画像表示部１３１に表示した後、ステップＳ１１１で動作モードが再生モードから変更されていないかどうかが確認され、変更されていない場合は（ステップＳ１１１；ＹＥＳ）、ステップＳ８１に戻って上述の動作を繰り返す。動作モードが変更された場合は（ステップＳ１１１；ＮＯ）、ステップＳ１１２で画像表示部１３１が消灯され、図５のステップＳ０３に戻って、再度動作モードの確認が行われる。
【００７２】
次に、本発明に係るカメラシステムの第２の実施の形態を図１０を用いて説明する。図１０は本発明の第２の実施の形態に係る交換レンズ部のみの回路ブロック図である。なお、図中、図１、図２、図３及び図４と同じ部分には同じ番号を付与し、説明を省略する。また、カメラ１０の構成については図４と同じであり、記載を省略した。図１０において、図４と相違する点は、交換レンズ２０はレンズ制御部２５１を持たず、メモリ性表示制御部２５７、及び交換レンズの各部（レンズ情報記憶部２６１、ズーム値検知部２４３、ＡＦ駆動部２４４、絞り制御部２４２等）は直接にあるいはインターフェースを介してＢＬ交信部（レンズ側）２７２に接続され、ＢＬ交信部（レンズ側）２７２とＢＬ交信部（カメラ側）１７２を介してカメラ１０の制御部であるカメラ制御部１５１に接続され、カメラ制御部１５１によって制御される点である。
【００７３】
この場合、カメラ制御部１５１は、後述する換算式に従って交換レンズ２０の焦点距離を換算し、ＢＬ交信部（カメラ側）１７２、ＢＬ交信部（レンズ側）２７２及びメモリ性表示制御部２５７を介してメモリ性表示部２３１に表示する。その他のカメラ１０の各部については、図４と同じである。
【００７４】
第２の実施の形態に係るカメラシステムにおける動作を図１１を用いて説明する。図１１は、図１０に示した交換レンズ部を有するカメラシステム１での換算焦点距離情報の表示の流れを示すフローチャートであり、図５に示したフローチャートにおけるステップＳ１２乃至ステップＳ２０の各処理に代えて、ステップＳ２１２乃至ステップＳ２３２の各処理を実行するものである。図１１のステップＳ２１２乃至ステップＳ２３２の各処理以外の処理については、図５乃至図７に示した第１の実施の形態における処理と同じであり、説明を省略する。
【００７５】
ステップＳ２１２では図５のステップＳ１２と同様に、レンズ情報記憶部２６１に格納されている焦点距離情報と像面の大きさを含む交換レンズ２０に固有の各種情報がカメラ制御部１５１に読み出される。
【００７６】
ステップＳ２１３で、図５のステップＳ１３と同様に、カメラ制御部１５１によりカメラ情報記憶部１６１からの撮像素子のフォーマット情報とレンズ情報記憶部２６１からの像面の大きさの情報が比較され、ステップＳ２１３で像面の大きさが撮像素子のフォーマットよりも大きいか同じである場合（ステップＳ２１３；ＹＥＳ）、ステップＳ２１４に進む。像面の大きさが撮像素子のフォーマットよりも小さい場合（ステップＳ２１３；ＮＯ）、ステップＳ２３１で昇圧回路１４８が制御されて出力が第２の電圧まで昇圧されてメモリ性表示電源２５６としてレンズ２０に供給され、ステップＳ２３２で、カメラ制御部２５１によりメモリ性表示装置２３１及び／又は画像表示部１３１に「像面の大きさが撮像素子のフォーマットよりも小さくて画面の周辺がケラレるため、撮影できない」旨が警告表示され、ステップＳ２１に進む。
【００７７】
ステップＳ２１４で、焦点距離を交換レンズ上のメモリ性表示装置２３１に表示するか否かが確認される。交換レンズ上のメモリ性表示装置２３１に表示する設定となっている場合（ステップＳ２１４；ＹＥＳ）、ステップＳ２１５では図５のステップＳ１４と同様に、昇圧回路１４８が制御されて出力が第２の電圧まで昇圧され、メモリ性表示電源２５６としてレンズ２０に供給される。
【００７８】
次に、ステップＳ２１６では図５のステップＳ１５と同様に、表示する焦点距離が換算焦点距離か交換レンズ２０の実際の焦点距離かが判別される。換算焦点距離を表示する設定になっている場合（ステップＳ２１６；ＹＥＳ）、ステップＳ２１７で図５のステップＳ１６と同様に、カメラ制御部１５１で前述の換算式（１）に従って換算焦点距離が演算される。
【００７９】
ステップＳ２１８では図５のステップＳ１７と同様に、換算焦点距離がメモリ性表示電源２５６を用いてメモリ性表示装置２３１に書き込まれ、ステップＳ２１に進む。これによって、カメラ１０から交換レンズ２０を取り外してもメモリ性表示装置に換算焦点距離が表示されたままとなっているため、交換レンズ２０単体で換算焦点距離の確認が可能である。
【００８０】
ステップＳ２１６で実際の焦点距離を表示するように設定されていた場合は（ステップＳ２１６；ＮＯ）ステップＳ２１９で図５のステップＳ１８と同様に、交換レンズ２０の実際の焦点距離がメモリ性表示電源２５６を用いてメモリ性表示装置２３１に書き込まれ、ステップＳ２１に進む。
【００８１】
ステップＳ２１４でカメラ上の画像表示部１３１にレンズリストを表示するように設定されている場合（ステップＳ２１４；ＮＯ）、ステップＳ２２１で表示する焦点距離が換算焦点距離か交換レンズ２０の実際の焦点距離かが判別される。換算焦点距離を表示する設定になっている場合（ステップＳ２２１；ＹＥＳ）、ステップＳ２２２で、カメラ制御部１５１で上述の換算式（１）に従って換算焦点距離が演算される。ステップＳ２２３で交換レンズ２０の実際の焦点距離と換算焦点距離がカメラ制御部１５１を構成する不図示の不揮発性メモリに記憶され、ステップＳ２２４で画像表示部１３１に実際の焦点距離と換算焦点距離が対として表示される。後述するレンズ交換を繰り返すことで、複数の交換レンズの実際の焦点距離と換算焦点距離が上記不揮発性メモリに記憶され、ステップＳ２２４で画像表示部１３１に交換レンズの実際の焦点距離と換算焦点距離の換算リストとして表示される。表示の例を図１２に示す。
【００８２】
ステップＳ２２１で実際の焦点距離を表示する設定になっている場合（ステップＳ２２１；ＮＯ）、ステップＳ２２５で交換レンズ２０の実際の焦点距離がカメラ制御部１５１を構成する不図示の不揮発性メモリに記憶され、ステップＳ２２６で画像表示部１３１に実際の焦点距離が表示される。後述するレンズ交換を繰り返すことで、複数の交換レンズの実際の焦点距離が上記不揮発性メモリに記憶され、ステップＳ２２６で画像表示部１３１に交換レンズの実際の焦点距離がリストとして表示される。以上でレンズ選択モードでの一連の動作が完了する。
【００８３】
次に、本発明に係るカメラシステム第３の実施の形態を、図１３を用いて説明する。図１３は、図１乃至図４に示したカメラシステム１での換算焦点距離情報の他の表示制御の処理流れを示すフローチャートであり、図５に示したフローチャートにおけるステップＳ１２乃至ステップＳ２０の各処理に代えて、ステップＳ３１２乃至ステップＳ３３２の各処理を実行するものである。図１３のステップＳ３１２乃至ステップＳ３３２の各処理以外の処理については、図５乃至図７に示した第１の実施の形態における処理と同じであり、説明を省略する。
【００８４】
ステップＳ３１２では図５のステップＳ１２と同様に、レンズ情報記憶部２６１に格納されている焦点距離情報と像面の大きさを含む交換レンズ２０に固有の各種情報がレンズ制御部２５１を介してカメラ制御部１５１に読み出される。
【００８５】
ステップＳ３１３で、図５のステップＳ１３と同様に、カメラ制御部１５１によりカメラ情報記憶部１６１からの撮像素子のフォーマット情報とレンズ情報記憶部２６１からの像面の大きさの情報が比較され、ステップＳ３１３で像面の大きさが撮像素子のフォーマットよりも大きいか同じである場合（ステップＳ３１３；ＹＥＳ）、ステップＳ３１４に進む。像面の大きさが撮像素子のフォーマットよりも小さい場合（ステップＳ３１３；ＮＯ）、ステップＳ３３１で昇圧回路１４８が制御されて出力が第２の電圧まで昇圧されてメモリ性表示電源２５６としてレンズ２０に供給され、ステップＳ３３２で、レンズ制御部２５１によりメモリ性表示装置２３１に、及び／又はカメラ制御部１５１により画像表示部１３１に「像面の大きさが撮像素子のフォーマットよりも小さくて画面の周辺がケラレるため、撮影できない」旨が警告表示され、ステップＳ２１に進む。
【００８６】
ステップＳ３１４で、焦点距離を交換レンズ上のメモリ性表示装置２３１に表示するか否かが確認される。交換レンズ上のメモリ性表示装置２３１に表示する設定となっている場合（ステップＳ３１４；ＹＥＳ）、ステップＳ３１５では図５のステップＳ１４と同様に、昇圧回路１４８が制御されて出力が第２の電圧まで昇圧され、メモリ性表示電源２５６としてレンズ２０に供給される。
【００８７】
次に、ステップＳ３１６では図５のステップＳ１５と同様に、表示する焦点距離が換算焦点距離か交換レンズ２０の実際の焦点距離かが判別される。換算焦点距離を表示する設定になっている場合（ステップＳ３１６；ＹＥＳ）、ステップＳ３１７で、カメラ制御部１５１で前述の換算式（１）に従って換算焦点距離が演算され、ＢＬ交信部（カメラ側）１７２及びＢＬ交信部（レンズ側）２７２を介してレンズ制御部２５１に送られる。
【００８８】
ステップＳ３１８では図５のステップＳ１７と同様に、レンズ制御部２５１によって換算焦点距離がメモリ性表示電源２５６を用いてメモリ性表示装置２３１に書き込まれ、ステップＳ３４１に進む。これによって、カメラ１０から交換レンズ２０を取り外してもメモリ性表示装置に換算焦点距離が表示されたままとなっているため、交換レンズ２０単体で換算焦点距離の確認が可能である。
【００８９】
ステップＳ３１６で実際の焦点距離を表示するように設定されていた場合は（ステップＳ３１６；ＮＯ）ステップＳ３１９で図５のステップＳ１８と同様に、レンズ制御部２５１によって交換レンズ２０の実際の焦点距離がメモリ性表示電源２５６を用いてメモリ性表示装置２３１に書き込まれ、ステップＳ２１に進む。
【００９０】
ステップＳ３１４でカメラ上の画像表示部１３１にレンズリストを表示するように設定されている場合（ステップＳ３１４；ＮＯ）、ステップＳ３２１で表示する焦点距離が換算焦点距離か交換レンズ２０の実際の焦点距離かが判別される。換算焦点距離を表示する設定になっている場合（ステップＳ３２１；ＹＥＳ）、ステップＳ３２２で、カメラ制御部１５１で上述の換算式（１）に従って換算焦点距離が演算される。ステップＳ３２３で交換レンズ２０の実際の焦点距離と換算焦点距離がカメラ制御部１５１を構成する不図示の不揮発性メモリに記憶され、ステップＳ３２４で画像表示部１３１に実際の焦点距離と換算焦点距離が対として表示される。後述するレンズ交換を繰り返すことで、複数の交換レンズの実際の焦点距離と換算焦点距離が上記不揮発性メモリに記憶され、ステップＳ３２４で画像表示部１３１に交換レンズの実際の焦点距離と換算焦点距離の換算リストとして表示される。
【００９１】
ステップＳ３２１で実際の焦点距離を表示する設定になっている場合（ステップＳ３２１；ＮＯ）、ステップＳ３２５で交換レンズ２０の実際の焦点距離がカメラ制御部１５１を構成する不図示の不揮発性メモリに記憶され、ステップＳ３２６で画像表示部１３１に実際の焦点距離が表示される。後述するレンズ交換を繰り返すことで、複数の交換レンズの実際の焦点距離が上記不揮発性メモリに記憶され、ステップＳ３２６で画像表示部１３１に交換レンズの実際の焦点距離がリストとして表示される。以上でレンズ選択モードでの一連の動作が完了する。
【００９２】
なお、本実施の形態においては、換算焦点距離として３５ｍｍフィルムフォーマットへの換算について説明したが、その代わりに任意のフォーマット（たとえば、ＡＰＳ−Ｃフォーマット）への換算を用いてもよい。この場合、換算式（１）を、
換算焦点距離＝交換レンズの焦点距離×（Ｙ１／Ｙ）・・・（１）
Ｙ１：任意のフォーマットの対角長
Ｙ：撮像素子の対角長
とすればよい。
【００９３】
更に、本実施の形態においては、換算式（１）を用いて換算するようになしたが、ルックアップテーブル等を用いて参照するようになしてもよい。
【００９４】
その他、本発明に係るデジタルカメラを構成する各構成の細部構成及び細部動作に関しても、本発明の趣旨を逸脱することのない範囲で適宜変更可能である。
【図面の簡単な説明】
【００９５】
【図１】本発明に係るデジタルカメラシステムの外観模式図（１／２）である。
【図２】本発明に係るデジタルカメラシステムの外観模式図（２／２）である。
【図３】本発明に係るデジタルカメラシステムの縦断面模式図である。
【図４】本発明に係るデジタルカメラシステムの回路ブロック図である。
【図５】本発明の第１の実施の形態における情報表示制御の処理の流れを示すフローチャート（１／３）である。
【図６】本発明の第１の実施の形態における情報表示制御の処理の流れを示すフローチャート（２／３）である。
【図７】本発明の第１の実施の形態における情報表示制御の処理の流れを示すフローチャート（３／３）である。
【図８】本発明における撮像素子フォーマットと撮影画角、実際の焦点距離、換算焦点距離との関連を示す模式図である。
【図９】本発明における情報表示の一例を示す模式図である。
【図１０】本発明の第２の実施の形態に係るデジタルカメラシステムにおける交換レンズの回路ブロック図である。
【図１１】本発明の第２の実施の形態における情報表示制御の処理の流れを示すフローチャートである。
【図１２】第２の実施の形態における情報表示の一例を示す模式図である。
【図１３】本発明の第１の実施の形態における他の情報表示制御の処理の流れを示すフローチャートである。
【図１４】本発明における撮像素子フォーマットと換算焦点距離との関連を示す表である。
【図１５】本発明に係る撮像素子のフォーマットと撮影される画像の関係を示す模式図である。
【符号の説明】
【００９６】
１  カメラシステム
１０  カメラ
１０１  レリーズボタン
Ｓ１  ＡＦスイッチ
Ｓ２  レリーズスイッチ
３５  ３５ｍｍフィルムの撮像画面
１０２  エレクトロフラッシュ
１０３  カメラ電源
１１１  電源スイッチ
１１２  モード設定ダイアル
１１３  変更ダイアル
１１４  制御値設定ダイアル
１１５  ジョグダイアル
１２１  ファインダ
１２１ａ  接眼レンズ
１２１ｂ  ペンタプリズム
１２１ｃ  焦点板
１３１  画像表示部
１３２  インファインダ表示部
１４１  レフレックスミラー
１４２  サブミラー
１４３  ミラー駆動部
１４４  ＡＦモジュール
１４５  シャッタ
１４６  シャッタ駆動部
１４７  フラッシュ制御部
１４８  昇圧回路
１５１  カメラ制御部
１５２  画像制御部
１５３  撮像素子
１５４  画像処理部
１５５  画像メモリ
１５６  メモリカード
１６１  カメラ情報記憶部
１５７  表示制御部
１７１  マウント（カメラ側）
１７２  ＢＬ交信部（カメラ側）
２０  交換レンズ
２０１  フォーカスリング
２０２  ズームリング
２１１  レンズ
２３１  メモリ性表示装置
２４１  絞り
２４２  絞り制御部
２４３  ズーム値検知部
２４４  ＡＦ駆動部
２５１  レンズ制御部
２５６  メモリ性表示電源
２５７  メモリ性表示制御部
２６１  レンズ情報記憶部
２７１  マウント（レンズ側）
２７２  ＢＬ交信部（レンズ側）
【図１】
2006140883.tif 000003
【図２】
2006140883.tif 000004
【図３】
2006140883.tif 000005
【図４】
2006140883.tif 000006
【図５】
2006140883.tif 000007
【図６】
2006140883.tif 000008
【図７】
2006140883.tif 000009
【図８】
2006140883.tif 000010
【図９】
2006140883.tif 000011
【図１０】
2006140883.tif 000012
【図１１】
2006140883.tif 000013
【図１２】
2006140883.tif 000014
【図１３】
2006140883.tif 000015
【図１４】
2006140883.tif 000016
【図１５】
2006140883.tif 000017